(57)【要約】【課題】結露発生を抑制しつつ、漏洩電流量を低減することが可能な冷却貯蔵庫を提供する。【解決手段】冷却貯蔵庫１０は、金属製の板状部材２６からなる外殻体２５と、外殻体２５の内部に充填された断熱材２９と、を備えて構成された断熱構造体２０からなる貯蔵庫本体１１と、板状部材２６の内面２６Ｂに取り付けられた、通電により発熱する結露防止用のコードヒータ３０と、コードヒータ３０の少なくとも一部を覆うようにして板状部材２６の内面２６Ｂに設けられた、板状部材２６より高い電気抵抗率を有するとともに断熱材２９より高い熱伝導率を有する絶縁伝熱部材４０と、を備える。【選択図】図３
2019194509.tif 000002
【特許請求の範囲】
【請求項１】
金属製の板状部材からなる外殻体と、前記外殻体の内部に充填された断熱材と、を備えて構成された断熱構造体からなる貯蔵庫本体と、
前記板状部材の内面に取り付けられた、通電により発熱する結露防止用のコードヒータと、
前記コードヒータの少なくとも一部を覆うようにして前記板状部材の前記内面に設けられた、前記板状部材より高い電気抵抗率を有するとともに前記断熱材より高い熱伝導率を有する絶縁伝熱部材と、を備える冷却貯蔵庫。
【請求項２】
前記絶縁伝熱部材は、一方の面が粘着面とされる粘着テープからなり、前記板状部材の前記内面に貼着されている、請求項１に記載の冷却貯蔵庫。
【請求項３】
前記粘着テープは、前記板状部材と前記コードヒータの間に配され、
前記コードヒータは、前記板状部材とは反対側から、金属箔層を含む金属箔テープに覆われるようにして前記板状部材の前記内面に取り付けられている、請求項２に記載の冷却貯蔵庫。
【請求項４】
前記粘着テープは、前記コードヒータと前記断熱材の間に配され、
前記コードヒータは、前記板状部材とは反対側から前記粘着テープに覆われるようにして前記板状部材の前記内面に取り付けられている、請求項２に記載の冷却貯蔵庫。
【請求項５】
前記絶縁伝熱部材は、接着剤が固化してなり、
前記コードヒータは、前記接着剤により前記板状部材の前記内面に接着されている、請求項１に記載の冷却貯蔵庫。
【請求項６】
前記貯蔵庫本体は、貯蔵室と、前記貯蔵室への貯蔵物の出入口と、を有し、
前記板状部材が、前記出入口の口縁に位置する構成である、請求項１から請求項５のいずれか１項に記載の冷却貯蔵庫。
【発明の詳細な説明】
【技術分野】
【０００１】
本明細書に開示の技術は、冷却貯蔵庫に関する。
【背景技術】
【０００２】
冷蔵庫として、下記の特許文献１に開示のものが知られている。特許文献１の中仕切は、プラスチック製の中仕切上板と中仕切下板の間に発泡スチロフォームの中仕切断熱材を挟んで構成されている。そして、中仕切の前端部には鋼板製の化粧カバーを装着させ、化粧カバーの裏面にはリード線との接続部をアルミ箔（アルミテープ）からはずした結露防止ヒータを貼付け、更に結露防止ヒータの裏面に前部断熱材を配置させ、中仕切と化粧カバーで挟着している、と記載されている。
【先行技術文献】
【特許文献】
【０００３】
【特許文献１】特開平１１−２９４９３２号公報
【発明の概要】
【発明が解決しようとする課題】
【０００４】
しかしながら、金属製の化粧カバーにアルミテープにより結露防止ヒータを取り付けた構成では、結露防止ヒータへの通電時に結露防止ヒータから漏洩する漏洩電流が化粧カバーに流れ、冷蔵庫の漏洩電流量が大きくなることが懸念される。
【０００５】
一方、結露防止ヒータから化粧カバーに流れる漏洩電流を低減するために、例えば、結露防止ヒータを厚い絶縁体で被覆する構成では、結露防止ヒータの熱を十分に化粧カバーに伝えることができず、結露の発生を十分に抑制できないことが懸念される。
【０００６】
本明細書に開示の技術は上記のような事情に基づいて完成されたものであって、結露発生を抑制しつつ、漏洩電流量を低減することが可能な冷却貯蔵庫を提供することを目的とする。
【課題を解決するための手段】
【０００７】
上記課題を解決するために、本明細書に開示の技術の冷却貯蔵庫は、金属製の板状部材からなる外殻体と、前記外殻体の内部に充填された断熱材と、を備えて構成された断熱構造体からなる貯蔵庫本体と、前記板状部材の内面に取り付けられた、通電により発熱する結露防止用のコードヒータと、前記コードヒータの少なくとも一部を覆うようにして前記板状部材の前記内面に設けられた、前記板状部材より高い電気抵抗率を有するとともに前記断熱材より高い熱伝導率を有する絶縁伝熱部材と、を備える。
【０００８】
このような冷却貯蔵庫によれば、板状部材の内面に取り付けられたコードヒータにより外殻体を加熱することができ、外殻体が庫内の冷気により冷却されることにより表面に結露を生じる事態を抑制することができる。そして、絶縁性を有するとともに熱伝導性を有する絶縁伝熱部材でそのようなコードヒータの少なくとも一部を覆うことにより、コードヒータから板状部材への熱伝導を大幅に損なうことなく、通電時にコードヒータから漏洩する微小な漏洩電流を板状部材側に流れ難くすることができる。この結果、結露発生を抑制しつつ、漏洩電流量を低減することが可能な冷却貯蔵庫を提供することができる。
【０００９】
前記絶縁伝熱部材は、一方の面が粘着面とされる粘着テープからなり、前記板状部材の前記内面に貼着されていてもよい。このような構成によれば、絶縁伝熱部材を粘着テープで構成することにより、簡便な構成で、絶縁伝熱部材をコードヒータの少なくとも一部を覆うようにして板状部材の内面に設けることができる。
【００１０】
前記粘着テープは、前記板状部材と前記コードヒータの間に配され、前記コードヒータは、前記板状部材とは反対側から、金属箔層を含む金属箔テープに覆われるようにして前記板状部材の前記内面に取り付けられていてもよい。このような構成によれば、コードヒータと板状部材が直接的に接触することがなく、コードヒータから直接的に板状部材側に流れる漏洩電流を、絶縁伝熱部材により低減することができる。そして、コードヒータが金属箔テープに覆われるようにして取り付けられることにより、コードヒータから断熱材側に逃げる熱を、金属箔テープを介して板状部材に伝導することができる。
【００１１】
前記粘着テープは、前記コードヒータと前記断熱材の間に配され、前記コードヒータは、前記板状部材とは反対側から前記粘着テープに覆われるようにして前記板状部材の前記内面に取り付けられていてもよい。このような構成によれば、コードヒータが金属箔層を含む金属箔テープに覆われるようにして板状部材の内面に取り付けられる構成から、金属箔テープを絶縁性を有する絶縁伝熱部材で代替することにより、コードヒータの取り付けに係る部材を介してコードヒータから板状部材側に流れる漏洩電流を低減することができる。そして、コードヒータが熱伝導性を有する絶縁伝熱部材に覆われるようにして取り付けられることにより、コードヒータから断熱材側に逃げる熱を、絶縁伝熱部材を介して板状部材に伝導することができる。
【００１２】
前記絶縁伝熱部材は、接着剤が固化してなり、前記コードヒータは、前記接着剤により前記板状部材の前記内面に接着されていてもよい。このような構成によれば、コードヒータが金属箔層を含む金属箔テープに覆われるようにして板状部材の内面に取り付けられる構成から、金属箔テープを絶縁性を有する絶縁伝熱部材で代替することにより、コードヒータの取り付けに係る部材を介してコードヒータから板状部材側に流れる漏洩電流を低減することができる。そして、コードヒータが熱伝導性を有する絶縁伝熱部材により取り付けられることにより、コードヒータからの熱を、絶縁伝熱部材を介して板状部材に伝導することができる。
【００１３】
前記貯蔵庫本体は、貯蔵室と、前記貯蔵室への貯蔵物の出入口と、を有し、前記板状部材が、前記出入口の口縁に位置する構成であってもよい。貯蔵庫本体の出入口付近は、貯蔵室内の冷気と外気とに触れ易く、外殻体が結露しやすい部位と言える。上記構成によれば、そのような部位に、コードヒータを取り付けることにより、好適に外殻体の結露発生を抑制することができる。さらに、出入口の口縁は、例えば、外殻体から配線を外部に引き出して接地する等の漏洩電流の対策を施し難く、外殻体の内部で漏洩電流の対策を行うことができる上記構成が有効である。
【発明の効果】
【００１４】
本明細書に開示の技術によれば、結露発生を抑制しつつ、漏洩電流量を低減することが可能な冷却貯蔵庫を提供することができる。
【図面の簡単な説明】
【００１５】
【図１】実施形態１に係る冷却貯蔵庫の斜視図
【図２】仕切枠の横枠を示す分解斜視図
【図３】前枠材、コードヒータ、絶縁伝熱部材を示す断面図（図１のＩＩＩ−ＩＩＩ線で切断した図に対応）
【図４】実施形態２に係る前枠材、コードヒータ、絶縁伝熱部材を示す断面図
【図５】実施形態３に係る前枠材、コードヒータ、絶縁伝熱部材を示す断面図
【発明を実施するための形態】
【００１６】
＜実施形態１＞
実施形態１を図１ないし図３によって説明する。本実施形態では、４ドア型の冷蔵庫（冷却貯蔵庫）１０について例示する。なお、以下の説明では、図１の紙面左手前側を前、右奥側を後として説明する。
【００１７】
まず、図１を参照しつつ冷蔵庫１０の全体構造について説明する。
冷蔵庫１０は、断熱構造体からなる貯蔵庫本体１１を備えている。貯蔵庫本体１１は、前面開口の断熱箱体（断熱構造体の一例）１２と、前面開口を仕切る断熱性の仕切枠（断熱構造体の他の例）２０と、仕切枠２０により仕切られた前面開口の各領域を閉塞する断熱扉（断熱構造体の他の例）１５と、を備えて構成されている。断熱箱体１２は、内部に貯蔵室１２Ａを有し、仕切枠２０により仕切られた前面開口の各領域が、貯蔵室１２Ａへの貯蔵物の出入口１２Ｂを構成する。出入口１２Ｂには、裏面にパッキンが装着された断熱扉１５が、上下２段に分かれた観音開き式に開閉可能に装着される。
【００１８】
断熱箱体１２は、ともにステンレス鋼板等の金属製の外箱と内箱とを組み付けることで外殻体１３が形成され、この外殻体１３内に発泡樹脂からなる断熱材が充填された構造となっている。断熱扉１５は、ステンレス鋼板等の金属製の外装板と、合成樹脂製の内装板とを組み付けることで外殻体１６が形成され、この外殻体１６内に発泡樹脂からなる断熱材が充填された構造となっている。なお、仕切枠２０の構成については後に説明する。
【００１９】
貯蔵庫本体１１の上面には機械室１８が設けられ、その中に圧縮機１９Ａ、凝縮器１９Ｂ等からなる冷凍ユニット１９が設置されている。冷凍ユニット１９は、貯蔵室１２Ａの天井部等に配された冷却器（図示せず）と冷媒配管により接続され、周知の冷凍サイクルが構成されている。そして、上記した冷凍ユニット１９の制御運転によって貯蔵室１２Ａ内が略一定の冷却温度に維持されるとともに、断熱扉１５を開閉して、出入口１２Ｂから貯蔵室１２Ａ内に配された貯蔵物が出し入れされるようになっている。
【００２０】
続いて、図２及び図３を参照しつつ仕切枠２０について説明する。
仕切枠２０は、縦枠２１と横枠２２が十字形に組み付けられて構成されている（図１参照）。縦枠２１と横枠２２は同様の構成とされており、以下の説明では、横枠２２について説明して、縦枠２１についての説明を省略する。
【００２１】
横枠２２は、金属製の板状部材からなる外殻体２５と、外殻体２５の内部に充填された断熱材２９と、を備えて構成されている。外殻体２５は、後方に向けて開口した断面視Ｕ字状の前枠材（板状部材）２６と、前方に向けて開口した断面視Ｕ字状の後枠材２７と、を組み付けることにより構成されている。なお、仕切枠２０は、外殻体２５の前面を除く面を覆う合成樹脂製の化粧枠材（不図示）を更に備えていてもよい。
【００２２】
断熱材２９は、汎用のウレタンフォームからなる発泡樹脂とされる。断熱材２９は、外殻体２５の内部に発泡樹脂の原液を注入し、発泡充填されたものであってもよく、また、予め成形された発泡樹脂を所定の形状に切り出して、外殻体２５の内部に充填したものであってもよい。断熱材２９は、例えば、熱伝導率が０．０２Ｗ／ｍ・Ｋ以下と熱伝導性に乏しく、かつ、電気絶縁性に優れるものとされている。
【００２３】
前枠材２６は、熱伝導性に優れるとともに、導電性に優れた（電気抵抗率が低い）ステンレス鋼板等により形成されている。前枠材２６は、出入口１２Ｂの口縁に位置し、断熱扉１５を開けた際に外面２６Ａが庫外に臨むものとされる。前枠材２６は、庫内の冷気により冷却された状態で、庫内より温かい外気に触れることにより、前面に結露を生じ易い部位となっている。
【００２４】
前枠材２６の内面２６Ｂには、通電により発熱する結露防止用のコードヒータ３０が取り付けられている。縦枠２１の前枠材及び断熱箱体１２の外殻体１３の前面にもコードヒータ（不図示）が取り付けられており、出入口１２Ｂを囲む形でコードヒータ３０及び図示しないコードヒータが配策されている。
【００２５】
コードヒータ３０は、ヒータ線３１の両端にリード線３３が接続された構成とされ、図示しない電源に接続されたリード線３３を介して、ヒータ線３１に電力が供給されるようになっている。コードヒータ３０は、心線が絶縁体で被覆された被覆電線とされるが、電圧が印加されると、微小な電流が絶縁体から漏れて流れる。このような漏洩電流は、コードヒータ３０の長さが長くなるほど、大きくなるものとされる。
【００２６】
本願発明者は、このようなコードヒータ３０からの漏洩電流に着目し、冷蔵庫１０全体の漏洩電流量を低減するべく鋭意検討した結果、コードヒータ３０から貯蔵庫本体１１の前枠材２６に流れる漏洩電流を低減可能な、以下の構成のものを新たに開発した。一方、そのような構成においても、コードヒータ３０により前枠材２６を十分に加熱して、前枠材２６の結露発生を抑制可能な構成とした。
【００２７】
前枠材２６の内面２６Ｂには、コードヒータ３０の少なくとも一部を覆うようにして絶縁伝熱部材４０が設けられている。本実施形態では、絶縁伝熱部材４０は、コードヒータ３０の前枠材２６側の部分を覆うようにして設けられている。絶縁伝熱部材４０は、絶縁性を有するとともに熱伝導性を有するものとされ、前枠材２６より高い電気抵抗率を有するとともに断熱材２９より高い熱伝導率を有している。
【００２８】
絶縁伝熱部材４０は、一方の面４１が粘着面とされる粘着テープからなり、前枠材２６の内面２６Ｂに貼着されている。絶縁伝熱部材４０は、その粘着面が前枠材２６の内面２６Ｂに密着して、前枠材２６に熱を効率よく伝導可能な構成とされている。絶縁伝熱部材４０を構成する粘着テープとしては、例えば、無機フィラーを配合したポリイミド・エポキシ樹脂とポリエチレンテレフタラート（ＰＥＴ）樹脂によって構成された粘着テープ（熱伝導率：３．５Ｗ／ｍ・Ｋ、絶縁破壊電圧：７０ｋＶ／ｍｍ）、熱伝導性アクリル系樹脂ないしポリエーテルエーテルケトン（ＰＥＥＫ）フィルム等からなる支持体と、熱伝導性アクリル系樹脂からなる粘着層とを有する粘着テープ（熱伝導率：０．８Ｗ／ｍ・Ｋ、絶縁破壊電圧：７．３ｋＶ／ｍｍ）等を例示することができる。
【００２９】
続いて、各部の配置構成及び各部の作用について説明する。
絶縁伝熱部材４０は、前枠材２６とコードヒータ３０の間に配されている。絶縁伝熱部材４０の幅寸法は、コードヒータ３０の幅寸法より大きく、後述する金属箔テープ３５の幅寸法より小さいものとされる。絶縁伝熱部材４０は、コードヒータ３０の配策経路に沿って、配策経路の略全長に亘って設けられている。絶縁伝熱部材４０は、コードヒータ３０と前枠材２６とを全長に亘って非接触とし、両者の間を電気的に絶縁する絶縁部材として機能する。また、絶縁伝熱部材４０は、コードヒータ３０と前枠材２６の双方に直接的に接触して、コードヒータ３０からの熱を前枠材２６に伝導する熱伝導部材として機能する。
【００３０】
コードヒータ３０は、前枠材２６とは反対側から、金属箔層を含む金属箔テープ３５に覆われるようにして前枠材２６の内面２６Ｂに取り付けられている。金属箔テープ３５は、例えば、アルミ箔等の熱伝導性に優れた金属箔層に、粘着層が積層された構造とされている。金属箔テープ３５の幅寸法は、前枠材２６の前面の幅寸法程度とされ、コードヒータ３０の配策経路に沿って、配策経路の略全長に亘って設けられている。金属箔テープ３５は、その粘着面がコードヒータ３０の外周面と、絶縁伝熱部材４０の他方の面４２と、前枠材２６の内面２６Ｂとに密着するようにして貼り付けられている。金属箔テープ３５は、コードヒータ３０を前枠材２６に取り付ける取付部材として機能するともに、コードヒータ３０に直接的に接触して、コードヒータ３０から断熱材２９側に逃げる熱を、前枠材２６に伝導する熱伝導部材として機能する。
【００３１】
コードヒータ３０への通電時には、ヒータ線３１が発熱してその熱が周囲に伝わる。ヒータ線３１から絶縁伝熱部材４０に伝導された熱は、前枠材２６に伝導され、前枠材２６が加熱される。ヒータ線３１から金属箔テープ３５に伝導された熱は、絶縁伝熱部材４０を介して、又は、直接的に前枠材２６に伝導され、前枠材２６が加熱される。前枠材２６が加熱されると、前枠材２６の外面における結露発生が抑制される。
【００３２】
また、コードヒータ３０への通電時には、コードヒータ３０から微小な漏洩電流が流れる。コードヒータ３０と前枠材２６とが直接的に接触している場合には、コードヒータ３０から導体である前枠材２６に漏洩電流が流れることとなる。本実施形態では、この漏洩電流が流れる経路上に絶縁体である絶縁伝熱部材４０が介在することにより、コードヒータ３０と前枠材２６とが直接的に接触している場合に比して、コードヒータ３０から直接的に前枠材２６に流れる漏洩電流が低減される。
【００３３】
コードヒータ３０を取り付けるための金属箔テープ３５は、導電性及び熱伝導性に優れる金属箔層を備えている。このため、コードヒータ３０からの漏洩電流が金属箔テープ３５を介して前枠材２６に流れることも想定されうる。そのような場合であっても、金属箔テープ３５が電気抵抗となって、コードヒータ３０と前枠材２６とが直接的に接触している場合に比して、前枠材２６に流れる漏洩電流を小さくすることができる。さらに、金属箔テープ３５と前枠材２６との間に絶縁伝熱部材４０が介在することにより、金属箔テープ３５から前枠材２６に漏洩電流を流れ難くすることができる。なお、絶縁伝熱部材４０が金属箔テープ３５と重なる量が大きくなるほど、コードヒータ３０と前枠材２６との絶縁性が高くなる一方、金属箔テープ３５から直接的に前枠材２６に伝導される熱量が低減して、コードヒータ３０から前枠材２６への熱伝導性が悪化する可能性がある。このため、絶縁性と熱伝導性を勘案して、絶縁伝熱部材４０の金属箔テープ３５との重なり量を適宜設定すればよい。
【００３４】
以上説明したように、本実施形態の冷蔵庫１０によれば、前枠材２６の内面２６Ｂに取り付けられたコードヒータ３０により外殻体２５を加熱することができ、外殻体２５が貯蔵室１２Ａ内の冷気により冷却されることにより表面に結露を生じる事態を抑制することができる。そして、絶縁性を有するとともに熱伝導性を有する絶縁伝熱部材４０でそのようなコードヒータ３０の少なくとも一部を覆うことにより、コードヒータ３０から前枠材２６への熱伝導を大幅に損なうことなく、通電時にコードヒータ３０から漏洩する微小な漏洩電流を前枠材２６側に流れ難くすることができる。この結果、結露発生を抑制しつつ、漏洩電流量を低減することが可能な冷蔵庫１０を提供することができる。
【００３５】
また、本実施形態では、絶縁伝熱部材４０は、一方の面４１が粘着面とされる粘着テープからなり、前枠材２６の内面２６Ｂに貼着されている。このような構成によれば、絶縁伝熱部材４０を粘着テープで構成することにより、簡便な構成で、絶縁伝熱部材４０をコードヒータ３０の少なくとも一部を覆うようにして前枠材２６の内面２６Ｂに設けることができる。
【００３６】
また、本実施形態では、絶縁伝熱部材４０は、前枠材２６とコードヒータ３０の間に配され、コードヒータ３０は、前枠材２６とは反対側から、金属箔層を含む金属箔テープ３５に覆われるようにして前枠材２６の内面２６Ｂに取り付けられている。このような構成によれば、コードヒータ３０と前枠材２６が直接的に接触することがなく、コードヒータ３０から直接的に前枠材２６側に流れる漏洩電流を、絶縁伝熱部材４０により低減することができる。そして、コードヒータ３０が金属箔テープ３５に覆われるようにして取り付けられることにより、コードヒータ３０から断熱材２９側に逃げる熱を、金属箔テープ３５を介して前枠材２６に伝導することができる。
【００３７】
また、本実施形態では、貯蔵庫本体１１は、貯蔵室１２Ａと、貯蔵室１２Ａへの貯蔵物の出入口１２Ｂと、を有し、前枠材２６が、出入口１２Ｂの口縁に位置する構成である。貯蔵庫本体１１の出入口１２Ｂ付近は、貯蔵室１２Ａ内の冷気と外気とに触れ易く、外殻体２５が結露しやすい部位と言える。本実施形態によれば、そのような部位に、コードヒータ３０を取り付けることにより、好適に外殻体２５の結露発生を抑制することができる。さらに、出入口１２Ｂの口縁は、例えば、外殻体２５から配線を外部に引き出して接地する等の漏洩電流の対策を施し難く、外殻体２５の内部で漏洩電流の対策を行うことができる上記構成が有効である。
【００３８】
＜実施形態２＞
次に、実施形態２を図４によって説明する。本実施形態では、絶縁伝熱部材の配置構成及びコードヒータの取り付け構成が上記実施形態と相違するものを例示する。本実施形態の絶縁伝熱部材１４０は、コードヒータ３０の前枠材２６とは反対側の部分を覆うようにして設けられている。なお、上記実施形態と同一部分には、同一符号を付して重複する説明を省略する。
【００３９】
絶縁伝熱部材１４０は、コードヒータ３０と断熱材２９の間に配されている。なお、コードヒータ３０は、絶縁伝熱部材１４０とは反対側の面が前枠材２６に直接的に接触するものとされている。絶縁伝熱部材１４０は、実施形態１の粘着テープと同様の材質とされ、実施形態１の金属箔テープ３５と同等の大きさとされている。絶縁伝熱部材１４０は、コードヒータ３０の配策経路に沿って、配策経路の略全長に亘って設けられている。
【００４０】
コードヒータ３０は、前枠材２６とは反対側から絶縁伝熱部材１４０に覆われるようにして前枠材２６の内面２６Ｂに取り付けられている。絶縁伝熱部材１４０は、その粘着面がコードヒータ３０の外周面と、前枠材２６の内面２６Ｂとに密着するようにして貼り付けられている。絶縁伝熱部材１４０は、コードヒータ３０を前枠材２６に取り付ける取付部材として機能するとともに、コードヒータ３０に直接的に接触して、コードヒータ３０から断熱材２９側に逃げる熱を、前枠材２６に伝導する熱伝導部材として機能する。
【００４１】
コードヒータ３０への通電時には、ヒータ線３１が発熱してその熱が周囲に伝わる。ヒータ線３１からの熱の一部は直接的に前枠材２６に伝導され、前枠材２６が加熱される。また、ヒータ線３１から絶縁伝熱部材１４０に伝導された熱は、前枠材２６に伝導され、前枠材２６が加熱される。前枠材２６が加熱されると、前枠材２６の外面における結露発生が抑制される。
【００４２】
また、コードヒータ３０への通電時には、コードヒータ３０から微小な漏洩電流が流れる。コードヒータ３０が金属箔テープ３５により前枠材２６に取り付けられている場合には、コードヒータ３０から導体である金属箔層を有する金属箔テープ３５に漏洩電流が流れ、金属箔テープ３５を介して前枠材２６に漏洩電流が流れる。本実施形態では、この漏洩電流が流れる経路上の金属箔テープ３５を絶縁体である絶縁伝熱部材１４０に代替することにより、コードヒータ３０が金属箔テープ３５により前枠材２６に取り付けられている場合に比して、コードヒータ３０から金属箔テープ３５を介して前枠材２６に流れる漏洩電流が低減される。
【００４３】
このような冷蔵庫１０によれば、前枠材２６の内面２６Ｂに取り付けられたコードヒータ３０により外殻体２５を加熱することができ、外殻体２５が貯蔵室１２Ａ内の冷気により冷却されることにより表面に結露を生じる事態を抑制することができる。そして、絶縁性を有するとともに熱伝導性を有する絶縁伝熱部材１４０でそのようなコードヒータ３０の少なくとも一部を覆うことにより、コードヒータ３０から前枠材２６への熱伝導を大幅に損なうことなく、通電時にコードヒータ３０から漏洩する微小な漏洩電流を前枠材２６側に流れ難くすることができる。この結果、結露発生を抑制しつつ、漏洩電流量を低減することが可能な冷蔵庫１０を提供することができる。
【００４４】
また、本実施形態によれば、コードヒータ３０が金属箔層を含む金属箔テープ３５に覆われるようにして前枠材２６の内面２６Ｂに取り付けられる構成から、金属箔テープ３５を絶縁性を有する絶縁伝熱部材１４０で代替することにより、コードヒータ３０の取り付けに係る部材を介してコードヒータ３０から前枠材２６側に流れる漏洩電流を低減することができる。そして、コードヒータ３０が熱伝導性を有する絶縁伝熱部材１４０に覆われるようにして取り付けられることにより、コードヒータ３０から断熱材２９側に逃げる熱を、絶縁伝熱部材１４０を介して前枠材２６に伝導することができる。
【００４５】
また、本実施形態によれば、絶縁伝熱部材１４０によりコードヒータ３０を取り付けることができ、絶縁伝熱部材１４０とは別にコードヒータ３０を取り付けるための部材（例えば、金属箔テープ３５）を備える構成に比して、部品点数を低減することができる。
【００４６】
＜実施形態３＞
次に、実施形態３を図５によって説明する。本実施形態では、絶縁伝熱部材の構成及びコードヒータ３０の取り付け構成が上記実施形態と相違するものについて例示する。なお、上記実施形態と同一部分には、同一符号を付して重複する説明を省略する。
【００４７】
絶縁伝熱部材２４０は、接着剤が固化してなるものとされる。絶縁伝熱部材２４０を構成する接着剤としては、非導電性無機フィラーを含んだ熱伝導性エポキシ接着剤（熱伝導率：１．６Ｗ／ｍ・Ｋ、絶縁破壊電圧：２１ｋＶ／ｍｍ）等を例示することができる。
【００４８】
絶縁伝熱部材２４０は、コードヒータ３０の周囲の一部または全部を囲むようにして、前枠材２６とコードヒータ３０の間に配されている。絶縁伝熱部材２４０は、未硬化の状態において、コードヒータ３０の配策経路に沿って、配策経路の略全長に亘って塗布され、コードヒータ３０が配置された後に硬化してなる。絶縁伝熱部材２４０は、コードヒータ３０と前枠材２６とを全長に亘って非接触とし、両者の間を電気的に絶縁する絶縁部材として機能する。また、絶縁伝熱部材２４０は、コードヒータ３０を前枠材２６に取り付ける取付部材として機能するとともに、コードヒータ３０と前枠材２６の双方に直接的に接触して、コードヒータ３０からの熱を、前枠材２６に伝導する熱伝導部材として機能する。
【００４９】
コードヒータ３０への通電時には、ヒータ線３１が発熱してその熱が周囲に伝わる。ヒータ線３１から絶縁伝熱部材２４０に伝導された熱は、前枠材２６に伝導され、前枠材２６が加熱される。前枠材２６が加熱されると、前枠材２６の外面における結露発生が抑制される。
【００５０】
また、コードヒータ３０への通電時には、コードヒータ３０から微小な漏洩電流が流れる。コードヒータ３０と前枠材２６とが直接的に接触している場合には、コードヒータ３０から導体である前枠材２６に漏洩電流が流れる。本実施形態では、この漏洩電流が流れる経路上に絶縁体である絶縁伝熱部材２４０が介在することにより、コードヒータ３０と前枠材２６とが直接的に接触している場合に比して、コードヒータ３０から直接的に前枠材２６に流れる漏洩電流が低減される。さらに、コードヒータ３０が金属箔テープ３５により前枠材２６に取り付けられている場合には、コードヒータ３０から導体である金属箔層を有する金属箔テープ３５に漏洩電流が流れ、金属箔テープ３５を介して前枠材２６に漏洩電流が流れる。本実施形態では、この漏洩電流が流れる経路上の金属箔テープ３５を絶縁体である絶縁伝熱部材２４０に代替することにより、コードヒータ３０が金属箔テープ３５により前枠材２６に取り付けられている場合に比して、コードヒータ３０から金属箔テープ３５を介して前枠材２６に流れる漏洩電流が低減される。
【００５１】
このような冷蔵庫１０によれば、前枠材２６の内面２６Ｂに取り付けられたコードヒータ３０により外殻体２５を加熱することができ、外殻体２５が貯蔵室１２Ａ内の冷気により冷却されることにより表面に結露を生じる事態を抑制することができる。そして、絶縁性を有するとともに熱伝導性を有する絶縁伝熱部材２４０でそのようなコードヒータ３０の少なくとも一部を覆うことにより、コードヒータ３０から前枠材２６への熱伝導を大幅に損なうことなく、通電時にコードヒータ３０から漏洩する微小な漏洩電流を前枠材２６側に流れ難くすることができる。この結果、結露発生を抑制しつつ、漏洩電流量を低減することが可能な冷蔵庫１０を提供することができる。
【００５２】
また、本実施形態によれば、コードヒータ３０が金属箔層を含む金属箔テープ３５に覆われるようにして前枠材２６の内面２６Ｂに取り付けられる構成から、金属箔テープ３５を絶縁性を有する絶縁伝熱部材２４０で代替することにより、コードヒータ３０の取り付けに係る部材を介してコードヒータ３０から前枠材２６側に流れる漏洩電流を低減することができる。そして、コードヒータが熱伝導性を有する絶縁伝熱部材２４０により取り付けられることにより、コードヒータ３０からの熱を、絶縁伝熱部材２４０を介して前枠材２６に伝導することができる。
【００５３】
また、本実施形態によれば、絶縁伝熱部材２４０によりコードヒータ３０を取り付けることができ、絶縁伝熱部材２４０とは別にコードヒータ３０を取り付けるための部材（例えば、金属箔テープ３５）を備える構成に比して、部品点数を低減することができる。
【００５４】
＜他の実施形態＞
本明細書によって開示される技術は、上記記述及び図面によって説明した実施形態に限定されるものではなく、例えば次のような実施形態も技術的範囲に含まれる。
【００５５】
（１）上記実施形態では、コードヒータが取り付けられる板状部材として、仕切枠の前枠材を例示したが、板状部材はこれに限られない。板状部材は断熱箱体の前面部分を構成する部材であってもよく、また、断熱扉の外装板における庫内に面する部分であってもよい。
（２）上記実施形態以外にも、コードヒータの配策経路及び配策態様は適宜変更可能である。例えば、Ｕ字状に折り曲げられたコードヒータの互いに並行する部分を、一括して絶縁伝熱部材で覆う構成としてもよく、また、一括して金属箔テープにより取り付ける構成としてもよい。
（３）上記実施形態では、コードヒータの一部が絶縁伝熱部材により覆われる構成を例示したが、上記実施形態以外にも絶縁伝熱部材の配置構成は適宜変更可能である。例えば、実施形態１の絶縁伝熱部材と実施形態２の絶縁伝熱部材を併用して、コードヒータの全部を絶縁伝熱部材により覆う構成としてもよい。
（４）上記実施形態以外にも、絶縁伝熱部材の構成は適宜変更可能である。絶縁伝熱部材は、両面に粘着面を有する両面テープであってもよく、粘着面を有しない又は微粘着性の柔軟な樹脂シート等であってもよい。
（５）本明細書により開示される技術は、冷蔵庫に限らず、冷凍庫、恒温恒湿庫等の、内部の貯蔵室を冷却して用いられる断熱庫全般に広く適用することができる。
【符号の説明】
【００５６】
１０…冷蔵庫（冷却貯蔵庫）、１１…貯蔵庫本体、１２Ａ…貯蔵室、１２Ｂ…出入口、２０…仕切枠（断熱構造体）、２５…外殻体、２６…前枠材（板状部材）、２６Ｂ…内面、２９…断熱材、３０…コードヒータ、３５…金属箔テープ、４０，１４０，２４０…絶縁伝熱部材
【図１】
2019194509.tif 000003
【図２】
2019194509.tif 000004
【図３】
2019194509.tif 000005
【図４】
2019194509.tif 000006
【図５】
2019194509.tif 000007